(57)【要約】【課題】特殊な操作を実行することなくユーザが好む特定の動作指示に関する情報を優先的に表示して、入力し易くし、ユーザの操作負担を軽減でき、併せて、設定ボタンの配置する筐体の大きさを抑えてユーザが取り扱い易くすることができる操作装置を提供する。【解決手段】操作装置は、操作対象機器に対する時間の候補を表示し（Ｓ２０３）、選択した時間を受け付け（Ｓ２０４）、受け付けた情報に基づく動作指示を操作対象機器へ出力し（Ｓ２０５）、受け付けた情報の受付回数を計数し（Ｓ２０６）、次回、計数された受付回数が多い順に情報を表示する。【選択図】図６
2007323411.tif 000002
【特許請求の範囲】
【請求項１】
操作対象機器に対する動作指示を複数記憶している記憶手段と、該記憶手段に記憶している一又は複数の動作指示に関する情報を表示する表示手段と、該表示手段により表示された情報の何れかの選択を受け付ける選択受付手段と、該選択受付手段により受け付けた情報に基づく動作指示を前記操作対象機器へ出力する出力手段とを備える操作装置において、
前記選択受付手段により受け付けた情報の受付回数を計数する計数手段を備え、
前記表示手段は、前記計数手段により計数された受付回数が多い順に、前記情報を表示するように構成してあることを特徴とする操作装置。
【請求項２】
操作対象機器に対する動作指示を複数記憶している記憶手段と、該記憶手段に記憶している一又は複数の動作指示に関する情報を表示する表示手段と、該表示手段により表示された情報の何れかの選択を受け付ける選択受付手段と、該選択受付手段により受け付けた情報に基づく動作指示を前記操作対象機器へ出力する出力手段とを備える操作装置において、
前記表示手段により表示される情報の表示数を受け付ける表示数受付手段を備え、
前記表示手段は、前記表示数受付手段により受け付けた表示数に応じて前記情報を表示するように構成してあることを特徴とする操作装置。
【請求項３】
前記記憶手段は、外部から受け付けた動作指示を記憶するように構成してあることを特徴とする請求項１又は２に記載の操作装置。
【請求項４】
前記表示手段は、前記情報を順次変更して表示するように構成してあることを特徴とする請求項１乃至３の何れか一つに記載の操作装置。
【請求項５】
前記動作指示に関する情報は、操作対象機器に対する動作の開始時間及び／又は終了時間であることを特徴とする請求項１乃至４の何れか一つに記載の操作装置。
【発明の詳細な説明】
【技術分野】
【０００１】
本発明は、操作対象機器の動作を指示する動作指示に関する情報を表示し、表示された情報の何れかの選択を受け付け、受け付けた情報に基づく動作指示を出力する操作装置に関し、特に受付回数の多い順に情報を表示できる操作装置に関する。
【背景技術】
【０００２】
空気調和機においては温度、風量及び動作時間等の設定を、また、テレビジョン受信機においては受信チャンネルの設定を受け付ける。
【０００３】
しかし、近年、空気調和機は多機能を有し、テレビジョン受信機は多チャンネル化に対応するのに伴い、設定項目が増え、ユーザは設定操作の負担を強いられるようになった。
【０００４】
そこで、従来、ユーザが、任意の温度、風量又はチャンネル等の設定を設定ボタンに割り当てておき、設定ボタンを押下した場合、当該設定が入力できるように構成してある操作装置がある（特許文献１）。
【特許文献１】特開平７−１８０８９７号公報
【発明の開示】
【発明が解決しようとする課題】
【０００５】
しかし、特許文献１に記載された発明にあっては、ユーザが希望する任意の温度等、設定情報が増えると、設定ボタンが多数必要になり、設定ボタンの配置する筐体も大きくなるので、装置の取り扱いが困難になるという問題があった。
【０００６】
また、設定ボタンの数を抑えるべく、一の設定ボタンに複数の設定を割り当てる代わりに、一の設定ボタンを長押し又はダブルクリック等の特殊な操作をして設定を入力していく方法も実行されているが、複雑な操作方法を覚えきれないユーザは、全く利用できないという問題があった。
【０００７】
本発明はかかる事情に鑑みてなされたものであり、その目的とするところは、操作対象機器に対する動作指示に関する情報を表示し、表示された情報の何れかの選択を受け付け、受け付けた情報に基づく動作指示を操作対象機器へ出力する操作装置が、受け付けた情報の受付回数を計数し、計数された受付回数が多い順に、情報を表示する構成を備えることにより、特殊な操作を実行することなくユーザが好む特定の動作指示に関する情報を優先的に表示して、入力し易くし、ユーザの操作負担を軽減でき、併せて、設定ボタンの配置する筐体の大きさを抑えてユーザが取り扱い易くすることができる操作装置を提供することにある。
【０００８】
また、本発明の他の目的は、操作装置が、表示される情報の表示数を受け付け、受け付けた表示数に応じて情報を表示する構成を備えることにより、特殊な操作を実行することなくユーザが必要とする情報に絞込んで表示して、入力し易くし、ユーザの操作負担を軽減でき、併せて、設定ボタンの配置する筐体の大きさを抑えてユーザが取り扱い易くすることができる操作装置を提供することにある。
【０００９】
また、本発明の他の目的は、操作装置が、外部から受け付けた動作指示を記憶する構成を備えることにより、ユーザが好む動作指示を記憶することができる操作装置を提供することにある。
【００１０】
また、本発明の他の目的は、操作装置が、情報を順次変更して表示する構成を備えることにより、画面の表示領域が狭い場合であっても複数の情報を表示することができ、当該画面を有する筐体の大きさを抑えてユーザが取り扱い易くすることができる操作装置を提供することにある。
【００１１】
また、本発明の他の目的は、操作装置が表示する動作指示に関する情報は、操作対象機器の動作の開始時間及び／又は終了時間である構成を備えることにより、特に動作の開始及び終了に関する設定において、ユーザの操作負担を軽減でき、併せて、筐体の大きさを抑えてユーザが取り扱い易くすることができる操作装置を提供することにある。
【課題を解決するための手段】
【００１２】
上記課題を解決するために本発明に係る操作装置は、操作対象機器に対する動作指示を複数記憶している記憶手段と、該記憶手段に記憶している一又は複数の動作指示に関する情報を表示する表示手段と、該表示手段により表示された情報の何れかの選択を受け付ける選択受付手段と、該選択受付手段により受け付けた情報に基づく動作指示を前記操作対象機器へ出力する出力手段とを備える操作装置において、前記選択受付手段により受け付けた情報の受付回数を計数する計数手段を備え、前記表示手段は、前記計数手段により計数された受付回数が多い順に、前記情報を表示するように構成してあることを特徴とする。
【００１３】
また、本発明に係る操作装置は、操作対象機器に対する動作指示を複数記憶している記憶手段と、該記憶手段に記憶している一又は複数の動作指示に関する情報を表示する表示手段と、該表示手段により表示された情報の何れかの選択を受け付ける選択受付手段と、該選択受付手段により受け付けた情報に基づく動作指示を前記操作対象機器へ出力する出力手段とを備える操作装置において、前記表示手段により表示される情報の表示数を受け付ける表示数受付手段を備え、前記表示手段は、前記表示数受付手段により受け付けた表示数に応じて前記情報を表示するように構成してあることを特徴とする。
【００１４】
また、本発明に係る操作装置は、前記記憶手段は、外部から受け付けた動作指示を記憶するように構成してあることを特徴とする。
【００１５】
また、本発明に係る操作装置は、前記表示手段は、前記情報を順次変更して表示するように構成してあることを特徴とする。
【００１６】
また、本発明に係る操作装置は、前記動作指示に関する情報は、操作対象機器に対する動作の開始時間及び／又は終了時間であることを特徴とする。
【００１７】
本発明にあっては、操作対象機器に対する動作指示を複数記憶し、受け付けた情報の受付回数を計数し、計数された回数が多い順に、情報を表示し、表示された情報の何れかの選択を受け付け、受け付けた情報を操作対象機器へ出力する。また、表示される動作指示に関する情報の表示数を受け付け、受け付けた表示数に応じて情報を表示し、表示された情報の何れかの選択を受け付け、受け付けた情報を操作対象機器へ出力する。また、外部から受け付けた動作指示を記憶する。また、情報を順次変更して表示する。
【発明の効果】
【００１８】
本発明にあっては、特殊な操作を実行することなくユーザが好む特定の動作指示に関する情報を優先的に表示して、入力し易くし、ユーザの操作負担を軽減でき、併せて、設定ボタンの配置する筐体の大きさを抑えてユーザが取り扱い易くすることができる。
【００１９】
また、本発明にあっては、特殊な操作を実行することなくユーザが必要とする情報に絞込んで表示して、入力し易くし、ユーザの操作負担を軽減でき、併せて、設定ボタンの配置する筐体の大きさを抑えてユーザが取り扱い易くすることができる。
【００２０】
また、本発明にあっては、ユーザが好む動作指示を記憶することができ、ユーザが必要な動作指示に基づいて操作することができる。
【００２１】
また、本発明にあっては、画面の表示領域が狭い場合であっても複数の情報を表示することができ、当該画面を有する筐体の大きさを抑えてユーザが取り扱い易くすることができる。
【００２２】
また、本発明にあっては、特に動作の開始及び終了に関する設定において、必要な情報を絞込んで、ユーザの操作負担を軽減でき、併せて、筐体の大きさを抑えてユーザが取り扱い易くすることができる。
【発明を実施するための最良の形態】
【００２３】
以下、本発明の操作装置について、実施の形態を示す図面に基づいて説明する。尚、本実施の形態では、操作対象機器への動作指示に関する情報は、操作対象機器の動作の開始（及び／又は終了）時間であるとして説明する。
【００２４】
図１は本発明に係る操作装置の構成例を示すブロック図、図２は本発明に係る操作装置の外観を示す正面図、図３は本発明に係る操作装置が有する管理テーブルの登録内容の一例を示す概念図である。
【００２５】
本発明に係る操作装置は、記憶部１０と、表示部１１と、操作部１２と、カウンタ１３と、タイマ１４と、ＲＡＭ１５と、通信部１６と、これらをバス１８を介して制御する制御部１７とを備える。
【００２６】
記憶部１０は、本発明に係る操作装置を動作させるために必要な各種プログラム、及び管理テーブル１００等を記憶している。
【００２７】
管理テーブル１００は、操作対象機器に対する動作指示を管理するテーブルであり、複数の項目のデータを有するレコードから構成されており、各項目には、順位，時間及び受付回数のデータが夫々登録されている。順位は、受付回数が多い順に各レコードに割り当てられ、レコードを昇順又は降順に並べている。時間は、例えば、３０分，１時間及び１時間３０分のように、３０分刻みで登録されている。受付回数は、時間に対応して登録されており、後述のとおりカウンタ１３により計数された受付回数が加算され更新される。更に、順位も更新された受付回数に応じて更新される。尚、管理テーブル１００は、操作対象機器の動作の開始時間を管理するテーブルと、終了始時間を管理するテーブルとが設けられている。
【００２８】
表示部１１は、例えば液晶表示画面により構成され、管理テーブル１００で管理されている操作対象機器への動作指示に関する情報を表示する。表示部１１は、図２で操作装置の筐体正面に配置された表示画面２０として示している。
【００２９】
操作部１２は、表示部１１により表示された動作指示に関する情報の何れかの選択、及びその他の要求の入力を受け付ける。操作部１２は、図２で開始時間への切替要求を入力する開始ボタン２１と、終了時間への切替要求を入力する終了ボタン２２と、表示部１１により表示された情報の何れかの選択を入力する進ボタン２３及び戻ボタン２４と、決定を入力する決定ボタン２５と、順次押下することで表示数設定要求，時間選択要求，表示数設定解除要求，時間選択解除要求及び取消要求を順次入力する選択ボタン２６と、操作装置の電源入切を入力する電源ボタン２７として示している。
【００３０】
カウンタ１３は、操作部１２により入力された動作指示に関する情報の受け付け回数を計数する。
【００３１】
タイマ１４は、操作部１２で受け付けた動作指示に関する情報、即ち操作対象機器に対する動作の開始（及び／又は終了）時間を計時する。
【００３２】
ＲＡＭ１５は、ＳＲＡＭ又はフラッシュメモリ等で構成され、制御部１７による各種プログラムの実行時に発生する情報、又は操作部１２で受け付けた動作指示に関する情報等を一時的に記憶する。
【００３３】
通信部１６は、操作部１２により選択された情報に基づく動作指示を赤外線に変換して操作対象機器へ出力し、該操作対象機器から出力された情報を受け付ける。尚、本実施の形態では、通信部１６は赤外線による無線通信を例にしているが、これに限らず、ケーブルによる有線通信であってもよく、また、通信による遠隔操作ではなく操作対象機器に実装されるようにしてもよい。通信部１６は、図２で操作装置に配置された通信インタフェース２８として示している。
【００３４】
次に、本発明に係る操作装置の表示数設定の処理手順について説明する。図４は本発明に係る操作装置の表示数設定の処理手順を示すフローチャート、図５は本発明の表示数設定の表示画面の一例を説明するための概念図である。
【００３５】
本発明に係る操作装置の制御部１７は、選択ボタン２６押下による表示数設定要求を受け付け（Ｓ１０１）、受け付けた要求に応じて記憶部１０からＲＡＭ１５へ読み出した表示数設定プログラムを起動し、開始ボタン２１押下による開始時間への切替要求又は終了ボタン２２押下による終了時間への切替要求を受け付け（Ｓ１０２）、受け付けた要求に応じて開始時間又は終了時間の表示数の候補を表示する（Ｓ１０３）。
【００３６】
候補は、図５に示す表示画面２０の如く、画面上段から下段へ昇順に列記して表示され、表示された候補からフォーカスＦにより表示数を選択する。尚、候補が多数あり画面の表示領域内におさまらない場合は、フォーカスＦの移動に従い表示領域をスクロールさせ、候補が順次表示される。
【００３７】
制御部１７は、進ボタン２３押下によるフォーカスＦの下段への移動又は戻ボタン２４押下によるフォーカスＦの上段への移動に従い、表示された候補から表示数を選択し、選択した表示数を決定ボタン２５押下により受け付ける（Ｓ１０４）。図５は「４件」の表示数を選択した例を示している。
【００３８】
制御部１７は、受け付けた表示数をＲＡＭ１５に記憶する（Ｓ１０５）。
【００３９】
制御部１７は、選択ボタン２６押下による表示数設定解除要求を受け付け（Ｓ１０６）、受け付けた要求に応じて表示数設定プログラムを終了しＲＡＭ１５から削除する。
【００４０】
以後、制御部１７は、ＲＡＭ１５に記憶した表示数に応じて、時間を表示画面２０に表示する。
【００４１】
尚、上述した実施の形態では、候補は画面上段から下段へ昇順に列記されているが、これに限らず、降順に列記してもよい。
【００４２】
次に、本発明に係る操作装置の時間選択受付及び並べ替えの処理手順について説明する。図６は本発明に係る操作装置の時間選択受付及び並べ替えの処理手順を示すフローチャート、図７は本発明の時間選択の表示画面の一例を説明するための概念図である。
【００４３】
本発明に係る操作装置の制御部１７は、選択ボタン２６押下による時間選択要求を受け付け（Ｓ２０１）、受け付けた要求に応じて記憶部１０からＲＡＭ１５へ読み出した時間選択プログラムを起動し、開始ボタン２１押下による開始時間への切替要求又は終了ボタン２２押下による終了時間への切替要求を受け付け（Ｓ２０２）、受け付けた要求に応じて時間の候補を表示する（Ｓ２０３）。
【００４４】
候補は、図７に示す表示画面の如く、画面上段から下段へ、管理テーブル１００での順位に従い、かつＲＡＭ１５に記憶された表示数に応じて列記し表示され、表示された候補から、フォーカスＦにより時間を選択することができる。尚、候補が多数あり画面の表示領域内におさまらない場合は、フォーカスＦの移動に従い表示領域をスクロールさせ、候補が順次表示される。また、図７は管理テーブル１００での順位に従い、かつＲＡＭ１５に記憶された表示数「４件」に応じて表示する例を示している。
【００４５】
制御部１７は、進ボタン２３押下によるフォーカスＦの下段への移動又は戻ボタン２４押下によるフォーカスＦの上段への移動に応じて、表示された候補から時間を選択し、選択した時間を決定ボタン２５押下により受け付ける（Ｓ２０４）。図７は「１時間」を選択した場合の一例を示している。
【００４６】
制御部１７は、受け付けた時間に基づく動作指示を通信部１６を介して操作対象機器へ出力する（Ｓ２０５）。例えば、制御部１７は、開始時間設定において「１時間」を受け付けた場合、「１時間後に動作を開始せよ。」という動作指示を生成して、操作対象機器へ出力する。尚、「１時間後に動作を開始せよ。」という動作指示を記憶部１０に予め記憶しておき、制御部１７は、開始時間設定での「１時間」の受け付けに応じて、対応する動作指示を読み出し、操作対象機器へ出力するようにしてもよい。操作対象機器は、受け付けた動作指示に従い動作する。
【００４７】
制御部１７は、時間の受付回数をカウンタ１３により計数し（Ｓ２０６）、計数した受付回数を管理テーブル１００の該当する時間のレコードに加算し（Ｓ２０７）、加算後の受付回数の多い順に管理テーブル１００内の順位を更新し、更新した順位に応じてレコードを並べ替える（Ｓ２０８）。例えば、開始時間設定において「１時間」の情報を２回連続して受け付けた場合、制御部１７は、図３に示す管理テーブル１００のレコードを「３時間（５０回）」，「１時間（２２回）」及び「７時間（２０回）」の順に並べ替える。
【００４８】
制御部１７は、選択ボタン２６押下による時間選択解除要求を受け付け（Ｓ２０９）、受け付けた要求に応じて時間選択プログラムを終了させＲＡＭ１５から削除する。
【００４９】
次回、時間選択受付処理の際、制御部１７は、ステップＳ２０３において、並べ替え後の順位に従い時間を表示画面２０に表示する。
【００５０】
尚、上述した実施の形態では、開始時間設定において「１時間」を受け付け「１時間後に動作を開始せよ。」という動作指示を操作対象機器へ出力する例を示したが、これに限らず、開始時間設定において「１時間」を受け付けた場合、まずタイマ１４により１時間を計時してから「動作を開始せよ。」という動作指示を操作対象機器へ出力するようにしてもよい。
【００５１】
また、上述した本実施の形態では、候補が多数あり画面の表示領域内におさまらない場合、フォーカスＦの移動に従い表示領域をスクロールさせ、候補を順次表示する例を示したが、これに限らず、画面領域のスクロールではなく切替により、一の候補毎に順次変更して表示するようにしてもよい。
【００５２】
また、上述した本実施の形態では、管理テーブル１００に時間が３０分刻みで登録されている例を示したが、これに限らず、時刻が登録されていてもよい。また、ユーザが管理テーブル１００に任意の時間又は時刻を登録できるようにしてもよい。
【００５３】
また、上述した本実施の形態では、本発明に係る操作装置が、表示数設定，時間選択受付及び並べ替えの処理の全てを実行する例を示したが、これに限らず、表示数設定の処理、又は時間選択受付及び並べ替えの処理のいずれか一方のみを実行するようにしてもよい。
【００５４】
また、上述した本実施の形態の機能に加え、複数のユーザが共有できるように、例えば、ユーザ切替設定を更に設け、進ボタン２３及び戻ボタン２４押下により任意のユーザを選択し、選択されたユーザに関する設定に切り換えて、本実施の形態の機能を利用できるようにしてもよい。
【００５５】
また、上述した本実施の形態では、操作対象機器への動作指示に関する情報は、操作対象機器の動作の開始（及び／又は終了）時間であるとして説明したが、これに限らず、操作対象機器が送風する温度，風量，風向、又はテレビのチャンネルを扱う場合であってもよい。
【図面の簡単な説明】
【００５６】
【図１】本発明に係る操作装置の構成例を示すブロック図である。
【図２】本発明に係る操作装置の外観を示す正面図である。
【図３】本発明に係る操作装置が有する管理テーブルの登録内容の一例を示す概念図である。
【図４】本発明に係る操作装置の表示数設定の処理手順を示すフローチャートである。
【図５】本発明の表示数設定の表示画面の一例を説明するための概念図である。
【図６】本発明に係る操作装置の時間選択受付及び並べ替えの処理手順を示すフローチャートである。
【図７】本発明の時間選択の表示画面の一例を説明するための概念図である。
【符号の説明】
【００５７】
１０  記憶部
１００  管理テーブル
１１  表示部
１２  操作部
１３  カウンタ
１６  通信部
【図１】
2007323411.tif 000003
【図２】
2007323411.tif 000004
【図３】
2007323411.tif 000005
【図４】
2007323411.tif 000006
【図５】
2007323411.tif 000007
【図６】
2007323411.tif 000008
【図７】
2007323411.tif 000009